(57)【要約】【課題】通信障害が発生した場合に、宅内ネットワークの帯域の状況も把握した通信障害診断を行うことを可能にする中継装置および、通信システムを提供する。【解決手段】外部ネットワークと宅内ネットワーク内の通信機器との間に接続される中継装置１００は、ＩＣＭＰパケットの宛先アドレスが自身のアドレスではなく、且つＴＴＬが０の場合である場合、帯域管理部１０５で管理している帯域利用情報を参照し、宅内ネットワークの帯域が少ない場合に通信機器にその旨を通知する。【選択図】図１
2009188577.tif 000002
【特許請求の範囲】
【請求項１】
外部ネットワークと宅内ネットワーク内の複数の通信機器との間に接続された中継装置であって、
前記外部ネットワークから前記宅内ネットワークに送信されるデータパケットと前記宅内ネットワークから前記外部ネットワークに送信されるデータパケットを中継する中継部と、
前記宅内ネットワーク内の複数の通信機器の接続関係、及び、前記宅内ネットワークの利用状況を取得する利用状況取得部と、
前記利用状況取得部が取得した前記宅内ネットワーク内の通信機器の構成を構成管理情報として管理する構成管理部と
前記利用状況取得部が取得した前記宅内ネットワークの利用状況と、前記構成管理部が管理する構成管理情報より帯域利用情報を作成して管理する帯域管理部と
を有することを特徴とする中継装置。
【請求項２】
前記中継部が中継するパケットが通信路の疎通確認パケットであることを解析するパケット解析部とをさらに有し、
前記帯域管理部は、前記宅内ネットワークに接続される通信機器が外部ネットワークとの通信路の疎通確認を行う際に、
前記パケット解析部が解析した疎通確認パケットに設定されているパケットの有効期間が所定の値である場合は、管理している帯域管理情報を前記通信機器に送信することを特徴とする請求項１に記載の中継装置。
【請求項３】
前記外部ネットワークはＩＰネットワーク、前記疎通確認パケットはＩＣＭＰパケット、前記疎通確認パケットの有効期間を表す値は前記ＩＣＭＰパケット内のＴＴＬであることを特徴とする請求項１記載の中継装置。
【請求項４】
前記帯域管理部は、前記ＩＣＭＰパケット内の宛先アドレスが自分でなく、前記ＴＴＬが０である場合に、前記帯域利用情報を前記通信機器に送信することを特徴とする請求項３記載の中継装置。
【請求項５】
外部ネットワークと、複数の通信機器が接続された宅内ネットワークとの間に中継装置が接続された通信システムであって、
前記中継装置は、
前記外部ネットワークから前記宅内ネットワークに送信されるデータパケットと前記宅内ネットワークから前記外部ネットワークに送信されるデータパケットを中継する中継部と、
前記宅内ネットワーク内の複数の通信機器の接続関係、及び、前記宅内ネットワークの利用状況を取得する利用状況取得部と、
前記利用状況取得部が取得した前記宅内ネットワーク内の通信機器の構成を構成管理情報として管理する構成管理部と
前記利用状況取得部が取得した前記宅内ネットワークの利用状況と、前記構成管理部が管理する構成管理情報より帯域利用情報を作成して管理する帯域管理部と
を有することを特徴とする通信システム。
【請求項６】
前記中継装置は、
前記中継部が中継するパケットが通信路の疎通確認パケットであることを解析するパケット解析部とをさらに有し、
前記帯域管理部は、前記宅内ネットワークに接続される通信機器が外部ネットワークとの通信路の疎通確認を行う際に、前記パケット解析部が解析した疎通確認パケットに設定されているパケットの有効期間が所定の値である場合は、管理している帯域管理情報を前記通信機器に送信することを特徴とする請求項５記載の通信システム。
【請求項７】
前記外部ネットワークはＩＰネットワーク、前記疎通確認パケットはＩＣＭＰパケット、前記疎通確認パケットの有効期間を表す値は前記ＩＣＭＰパケット内のＴＴＬであることを特徴とする請求項６記載の通信システム。
【請求項８】
前記帯域管理部は、ＩＣＭＰパケット内の宛先アドレスが自分でなく、前記ＴＴＬが０である場合に、前記帯域利用情報を前記通信機器に送信することを特徴とする請求項７記載の通信システム。
【発明の詳細な説明】
【技術分野】
【０００１】
本発明は、限られたデータ通信帯域のネットワークを複数の端末で利用する、通信システムおよび中継装置に関するものである。
【背景技術】
【０００２】
近年、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）の普及に伴い、外部ネットワークとのインフラが整ってきた。
【０００３】
また、宅内においてもインターネットの利用を中心として複数のＰＣ等の端末機器がネットワークで結ばれるようになってきており、複数の端末で同時にインターネットを行うことが可能になっている。
【０００４】
従来はＬＡＮなどのネットワークの構築は専門家でなければ構築できなかったが、近年では専門知識の少ないユーザであっても、ネットワークを構築することはマニュアルどおりに行えば可能である。
【０００５】
しかし、一旦ネットワークの障害等の問題が発生した場合は、専門知識の少ないユーザは、その対処のみならず、いずれの箇所に障害があるのか判別することは困難である。
【０００６】
通信障害の原因としては、例えば、ＰＣの設定誤り、家庭内ルータの設定誤り、ＰＣとルータのケーブル接続誤り、インターネット上（アクセス回線およびインターネット）の中継装置の故障など多岐にわたり様々である。
【０００７】
専門知識の少ないユーザであっても、少なくとも、障害が発生した箇所と原因が推定できれば、サービスセンター等に問い合わせることで対処は可能となる。
【０００８】
一方、サポートセンターに電話して原因特定の助けを求める場合においても、オペレータとの意思疎通のために基本的なネットワークの知識は必要であり、ＰＣの操作に習熟している必要がある。
【０００９】
この問題を解決する手法として、複雑なインターネットへの接続を自動的に行い、通信ができていない箇所を画面上に表示する装置がある（例えば、特許文献１参照）。
【００１０】
図１０に従来の通信障害を解析する情報通信装置の構成図を示している。情報通信装置１００は、通信手段を有するテレビである。従って、放送波を受けるアンテナ９０ 、受信した放送波を復調するＦＥ（フロントエンド）９２ 、復調された放送波をデコードして映像・音声信号を取り出すデコーダ９４ およびディスプレイ画面および音声再生手段を含む表示部１１０を有する。
【００１１】
情報通信装置１００は、上記構成要素を制御するとともに、本体からホームルータ３００までの疎通状態をチェックする通信チェック手段を制御する制御部１２０ 、インターネットとの物理的な接続を行うイーサーネットコントローラ１５０を有する。さらに入力部１４０は、制御部１２０を通じて通信チェック手段を起動する。通信チェック手段は制御部１２０が通信チェックソフトウェアを読み込んで実行することで実現される。また、工場出荷の際に、決められたテストサーバのＩＰアドレスを記憶しておくメモリ部１３０を有している。
【００１２】
図１０に示すように、従来の情報通信装置１００は、宅外のネットワークであるインターネットと接続するために、ハブ２００、ホームルータ３００と接続されている。また、図１０に示すようにインターネット網上には、ＤＮＳ（Ｄｏｍａｉｎ  Ｎａｍｅ  Ｓｅｒｖｉｃｅ）サーバ４００やテストサーバ６００、および接続する目的先のＷｅｂサーバ５００などがある。
【００１３】
従来の情報通信装置は、制御部１２０は、ハブ２００に対しては、物理的な電気信号のやり取りを用い、ホームルータ３００、インターネット網上にある各サーバに対しては、ｐｉｎｇを用いて、接続状況を確認する。このことにより、利用者は、インターネットへの接続パスのうち、どこまで接続ができているかを知ることができ、トラブル対応の指針とすることができる。
【特許文献１】特開２００４−３６４２７８号公報
【発明の開示】
【発明が解決しようとする課題】
【００１４】
しかしながら、上記従来の構成の情報通信装置では、例えば無線、同軸ケーブル、電力線など帯域を複数の端末で共有する通信方式を利用した通信システムにおいて、ある一つの端末が他の端末の通信を圧迫するほど、帯域を多く使用している場合に、他の端末のユーザがＨＤ（Ｈｉｇｈ  Ｄｅｆｉｎｉｔｉｏｎ）のコンテンツをＶｏＤ（Ｖｉｄｅｏ  ｏｎ  Ｄｅｍａｎｄ）で視聴しようとした場合などに発生する障害については、障害原因を特定することは不可能である。
【００１５】
従来の情報通信装置は、宅内ネットワークに存在する通信機器、外部ネットワークに存在するＤＮＳサーバ、Ｗｅｂサーバ、テストサーバとの疎通確認を行うのみである。疎通確認は通信機器の電源状態や死活確認、ケーブルの抜けなどを検知するには有益であるが、帯域が足らない状態でも疎通確認パケットは通ってしまうため、帯域不足が発生しているため障害が発生しているかを検知することはできない。
【００１６】
本発明は、上記従来の課題を考慮して、宅内ネットワークの状況も把握した通信障害診断を行うことが可能な中継装置および、通信システムを提供する事を目的とする。
【課題を解決するための手段】
【００１７】
上述した課題を解決するために、本発明の第１の発明は、外部ネットワークと宅内ネットワーク内の複数の通信機器との間に接続された中継装置であって、前記外部ネットワークから前記宅内ネットワークに送信されるデータパケットと前記宅内ネットワークから前記外部ネットワークに送信されるデータパケットを中継する中継部と、前記宅内ネットワーク内の複数の通信機器の接続関係、及び、前記宅内ネットワークの利用状況を取得する利用状況取得部と、前記利用状況取得部が取得した前記宅内ネットワーク内の通信機器の構成を構成管理情報として管理する構成管理部と前記利用状況取得部が取得した前記宅内ネットワークの利用状況と、前記構成管理部が管理する構成管理情報より帯域利用情報を作成して管理する帯域管理部とを有することを特徴とする中継装置である。
【００１８】
本発明の第２の発明は、本発明の第１の発明において、前記中継部が中継するパケットが通信路の疎通確認パケットであることを解析するパケット解析部とをさらに有し、前記帯域管理部は、前記宅内ネットワークに接続される通信機器が外部ネットワークとの通信路の疎通確認を行う際に、前記パケット解析部が解析した疎通確認パケットに設定されているパケットの有効期間が所定の値である場合は、管理している帯域管理情報を前記通信機器に送信することを特徴とする中継装置である。
【００１９】
本発明の第３の発明は、外部ネットワークと、複数の通信機器が接続された宅内ネットワークとの間に中継装置が接続された通信システムであって、前記中継装置は、前記外部ネットワークから前記宅内ネットワークに送信されるデータパケットと前記宅内ネットワークから前記外部ネットワークに送信されるデータパケットを中継する中継部と、前記宅内ネットワーク内の複数の通信機器の接続関係、及び、前記宅内ネットワークの利用状況を取得する利用状況取得部と、前記利用状況取得部が取得した前記宅内ネットワーク内の通信機器の構成を構成管理情報として管理する構成管理部と前記利用状況取得部が取得した前記宅内ネットワークの利用状況と、前記構成管理部が管理する構成管理情報より帯域利用情報を作成して管理する帯域管理部とを有することを特徴とする通信システムである。
【００２０】
本発明の第４の発明は、本発明の第３の発明において、前記中継装置は、前記中継部が中継するパケットが通信路の疎通確認パケットであることを解析するパケット解析部とをさらに有し、前記帯域管理部は、前記宅内ネットワークに接続される通信機器が外部ネットワークとの通信路の疎通確認を行う際に、前記パケット解析部が解析した疎通確認パケットに設定されているパケットの有効期間が所定の値である場合は、管理している帯域管理情報を前記通信機器に送信することを特徴とする通信システムである。
【００２１】
本発明の第５の発明は、本発明の第２及び第４の発明において、前記外部ネットワークはＩＰネットワーク、前記疎通確認パケットはＩＣＭＰパケット、前記疎通確認パケットの有効期間を表す値は前記ＩＣＭＰパケット内のＴＴＬである。
【００２２】
本発明の第６の発明は、本発明の第５の発明において、前記帯域管理部は、ＩＣＭＰパケット内の宛先アドレスが自分でなく、前記ＴＴＬが０である場合に、前記帯域利用情報を前記通信機器に送信する。
【発明の効果】
【００２３】
本発明により、宅内ネットワークの状況も把握した通信障害診断を行うことが可能な中継装置および、通信システムを提供する事が可能になる。
【発明を実施するための最良の形態】
【００２４】
以下に、本発明を実施するための最良の形態について図面を参照しながら説明する。
【００２５】
（実施の形態１）
図１は本発明の実施の形態１の通信システムで使用する中継装置の一構成例を示すブロック図である。
【００２６】
本実施の形態１の中継装置１００は、外部ネットワークに接続されるＷＡＮ Ｉ／Ｆ１０７と、宅内ネットワークに接続されるＬＡＮ  Ｉ／Ｆ１０８と、各Ｉ／Ｆからのパケットを中継する中継部１０１と、を管理する構成管理部１０３と、宅内ネットワークに存在する通信機器のネットワークトポロジを調査し、宅内ネットワークに存在する通信機器のネットワーク利用状況を取得する利用状況取得部１０２と、利用状況取得部１０２が調査したネットワークトポロジを構成管理情報として管理する構成管理部１０３と、中継するパケットを解析するパケット解析部１０４と、宅内ネットワークの帯域利用状況を示す帯域管理情報を管理する帯域管理部１０５と、帯域管理部１０５が管理している帯域管理情報を帯域情報として、外部機器に通知する帯域情報通知部１０６から構成される。なお、図１は中継装置の一構成例であって、宅内ネットワークに接続されるＬＡＮ Ｉ／Ｆが複数存在してもよい。
【００２７】
図２は、本実施の形態１の通信システムの宅内及び宅外ネットワークの一構成例を示す図である。宅内には中継装置１００が存在し、図示していないが、中継装置１００内のＬＡＮ Ｉ／Ｆ１０７に無線ＡＰ（Ａｃｃｅｓｓ  Ｐｏｉｎｔ）２０１が接続されている。なお、中継装置１００と無線ＡＰ２０１は、図中の波線で表されるように一体型となっていてもよい。例えば、宅内における無線ブロードバンドルータのようなものである。また、中継装置１００は、無線ＡＰ２０１を利用して、宅内に存在するポータブル表示装置２０２、２台の録画再生機２０３、録画再生機２０６、ＰＣ２０５と無線通信を行う。但し、無線方式は特に問わない。なお、本実施の形態では無線を利用した宅内ネットワークを構成したが、例えば同軸ケーブルを利用した同軸ネットワークや、電力線を利用したＰＬＣ（Ｐｏｗｅｒ  Ｌｉｎｅ  Ｃｏｍｍｕｎｉｃａｔｉｏｎｓ）のような帯域を複数の端末で共有する方式であれば、どのような方式でも構わない。
【００２８】
さらに、録画再生機２０３、録画再生機２０６には、それぞれ表示装置２０４、表示装置２０７が接続され、録画再生機２０３、録画再生機２０６がデコードした映像を出力する。例えば、表示装置２０４には、直接接続された録画再生機２０３に蓄積された映像データや、無線ネットワークを利用して受信した録画再生機２０６に録画された映像データなどが出力される。
【００２９】
また、ポータブル表示装置２０２、録画再生機２０３、録画再生機２０６、ＰＣ２０５は、無線ネットワークを利用して、無線ＡＰ２０１、中継装置１００を介してインターネット網２０８に接続し、インターネット網２０８上にある機器と通信が可能である。例えば、ＰＣ２０５は無線ＡＰ２０１、中継装置１００を介して、インターネット網２０８上にあるストリーミングサーバ２１０にある映像コンテンツを視聴することができる。図２に示すように、インターネット網２０８上には、ＤＮＳサーバ２０９も接続されている。
【００３０】
次に、本実施の形態の中継装置１００の動作について説明する。
【００３１】
中継装置１００の利用状況取得部１０２は、宅内ネットワークに存在する通信機器をＵＰｎＰ（Ｕｎｉｖｅｒｓａｌ  Ｐｌｕｇ  ａｎｄ  Ｐｌａｙ）やＬＬＴＤ（Ｌｉｎｋ  Ｌａｙｅｒ  Ｔｏｐｏｌｏｇｙ  Ｄｉｓｃｏｖｅｒｙ）などを利用して発見し、発見した通信機器の情報を構成管理部１０３に構成管理情報として格納し、構成管理部１０３は構成管理情報を管理する。図３に構成管理部１０３に格納される構成管理情報の一例を示す。
【００３２】
図３に示すように、構成管理情報にはＵＰｎＰやＬＬＴＤで取得した機器情報、メディア情報が含まれる。本実施における構成管理情報は、通信機器を一意に認識する「機器ＩＤ」、通信インタフェースを示す「Ｉ／Ｆ」、通信帯域を示す「帯域」、各機器のＩＰアドレス、ＭＡＣアドレス、さらに機器の説明で構成される。本実施の形態の場合、ポータブル表示装置２０２の機器ＩＤが１、録画再生機２０３の機器ＩＤが２、録画再生機２０６の機器ＩＤが３、ＰＣ２０５の機器ＩＤが４、中継装置１００の機器ＩＤが５とする。
【００３３】
なお、構成管理情報は、図３に示す情報に限定するものではなく、これ以外の情報を追加してもよい。また、記述形式も問わない。また、本実施の形態では、利用状況取得部１０２が構成管理情報を取得する方法については、ＵＰｎＰ、ＬＬＴＤを利用すると記述したが、他のプロトコルを利用しても、ユーザによる手動入力であっても構わない。
【００３４】
また、利用状況取得部１０２は、宅内ネットワークにおける各通信機器の接続関係を示すネットワークトポロジもＵＰｎＰなどを利用して取得し、発見した通信機器に対して定期的にネットワーク利用状況について問い合わせを行って帯域の利用情報を取得し、利用情報を帯域管理部１０５に出力する。帯域管理部１０５は利用状況取得部１０２より取得した利用情報と、構成管理部１０３が管理する構成管理情報より、宅内ネットワーク内の帯域情報を示す帯域管理情報を作成して管理する。
【００３５】
なお、ネットワークの利用状況の取得方法については、ＳＮＭＰ（Ｓｉｍｐｌｅ  Ｎｅｔｗｏｒｋ  Ｍａｎａｇｅｍｅｎｔ  Ｐｒｏｔｏｃｏｌ）を利用してもよいし、相手のネットワーク利用状況情報が取得できるようなものであればよい。
【００３６】
図４に帯域管理部１０５が管理する帯域管理情報の一例を示す。
【００３７】
図４に示すように、本実施の形態における帯域管理情報は、接続されている機器同士を示す「機器ＩＤペア」、接続されている機器同士の通信帯域を示す「帯域」、帯域中利用している帯域を示す「利用帯域」、利用していない帯域を示す「残帯域」で構成される。図４に示すように、ポータブル表示装置２０２、録画再生機２０３、録画再生機２０６、ＰＣ２０５、中継装置１００における全ての組み合わせが登録され、本実施の形態の場合、それぞれの組み合わせの機器同士の通信帯域は２０Ｍｂｐｓである。図４の帯域管理情報は、帯域が未使用である状態を示す。なお、機器接続情報は図４に示す構成に限定するものではない。
【００３８】
帯域管理部１０５は、利用状況取得部１０２より取得した利用情報に変化がある場合は、帯域管理情報の更新を行う。また、構成管理部１０３は管理する構成管理情報が更新されると、帯域管理部１０５へ通知し、帯域管理部１０５は帯域管理情報を更新する。
【００３９】
例えば、利用状況取得部１０２がネットワーク利用状況を問い合わせた際に、ポータブル表示装置２０２が無線ネットワークを利用して録画再生機２０３に蓄積されている映像データ（映像レート１５Ｍｂｐｓ）をストリーミング再生していることが判明した場合、帯域管理部１０５は、管理する帯域管理情報の利用帯域に１５Ｍｂｐｓを格納し、この利用帯域に関連する帯域から１５Ｍｂｐｓを引いて、残帯域として格納する。
【００４０】
図５に更新された帯域管理情報の一例を示す。
【００４１】
図５に示すように、機器ＩＤペアがポータブル表示装置２０２（機器ＩＤ＝１）と録画再生機２０３（機器ＩＤ＝２）の欄において、利用帯域は１５Ｍｂｐｓ、残帯域は２０Ｍｂｐｓ−１５Ｍｂｐｓ＝５Ｍｂｐｓと更新されている。ここで、本実施の形態においては、中継装置１００、ポータブル表示装置２０２、録画再生機２０３、録画再生機２０６、ＰＣ２０５がすべて無線で接続され、帯域を共有している。従って、無線ネットワーク上には５Ｍｂｐｓの帯域が余ることになり、全ての機器の組み合わせにおける利用帯域から１５Ｍｂｐｓを引くことになり、残帯域が全組み合わせにおいて、５Ｍｂｐｓとなる。なお、帯域が共有されていない場合は、機器ＩＤ１と機器ＩＤ２の欄のみ、更新される。
【００４２】
ここで、外部ネットワークには何ら問題がないが、宅内ネットワークの帯域が圧迫された為に、ストリーミング再生がうまくいかない場合を想定する。
【００４３】
例えば、図５に示される宅内ネットワーク利用状況、すなわち、ポータブル表示装置２０２が無線ネットワークを利用して録画再生機２０３に蓄積されている映像データ（映像レート１５Ｍｂｐｓ）をストリーミング再生している状況で、ＰＣ２０５が無線の宅内ネットワークを利用して、中継装置１００を介してインターネット上のストリーム（映像レート８Ｍｂｐｓ）を再生する場合を考える。
【００４４】
まず、中継装置１００において、利用状況取得部１０２は、ＰＣ２０５のネットワーク利用状況を取得する。本実施の形態の場合、利用状況取得部１０２は、ＰＣ２０５がインターネット網２０８上にある８Ｍｂｐｓの映像を中継装置１００経由でストリーミング再生しているという状況を取得する。次に、帯域管理部１０５は利用状況取得部１０２より取得した利用状況に基づいての帯域管理情報を図６に示すように更新する。
【００４５】
図６に示すように、ＰＣ２０５（機器ＩＤ＝４）と中継装置１００（機器ＩＤ＝５）の組み合わせにおいて、利用帯域が８Ｍｂｐｓに更新される。また、各機器は全て無線で接続され、帯域を共有していることから、残帯域が全ての組み合わせにおいて、２０Ｍｂｐｓ−（１５Ｍｂｐｓ＋８Ｍｂｐｓ）＝−３Ｍｂｐｓに更新され、無線ネットワーク上の帯域が不足していることがわかる。
【００４６】
この場合、宅内ネットワーク内の無線の帯域が不足するため、ＰＣ２０５は、インターネット網２０８上にある映像コンテンツのストリーミング再生がうまくできない。そこで、ＰＣ２０５のユーザは、インターネットによる映像コンテンツのストリーミング再生がうまくいかないため、ＩＣＭＰ（Ｉｎｔｅｒｎｅｔ Ｃｏｎｔｒｏｌ Ｍｅｓｓａｇｅ  Ｐｒｏｔｏｃｏｌ）による通信の疎通確認を行う。
【００４７】
まず、ＰＣ２０５は、無線ＡＰ２０１、中継装置１００を介して、インターネット網２０８上にあるＤＮＳサーバ２０９に対して、ストリーミング再生がうまくいかないサーバのＩＰアドレスを要求する（例えば、ｎｓｌｏｏｋｕｐコマンドを用いる）。この場合、ＰＣ２０５は、ＤＮＳサーバ２０９より、ストリーミングサーバ２１０のＩＰアドレスを取得する。次に、ＰＣ２０５は、ＤＮＳサーバ２０９より取得したＩＰアドレスに対して、ＩＣＭＰを利用した疎通確認方法を利用して（例えば、ｔｒａｃｅｒｔコマンドを用いる）、ＰＣ２０５が送信するデータが、ＰＣ２０５からストリーミングサーバ２１０間のどこまで通るのかの障害解析を行う。
【００４８】
ここで、ＩＣＭＰを利用した一般的な障害解析方法について説明する。まず、図７にＩＣＭＰのエコーパケットのパケット構成図を示す。
【００４９】
図７に示すように、ＩＣＭＰのエコーパケットに含まれるＩＰデータグラムの中に、そのパケットの有効期限を示すＴＴＬ（Ｔｉｍｅ−Ｔｏ−Ｌｉｖｅ）７０１、使用されているＩＣＭＰのバージョンを示すＩＣＭＰ７０２、ＩＣＭＰパケットの宛先アドレスを示す宛先ＩＰアドレス７０３が含まれている。さらに、ＩＰデータの中にはパケットのＩＣＭＰタイプを示すＩＣＭＰタイプ７０４が含まれている。
【００５０】
ＩＣＭＰでは、送信側が「エコー要求」を設定（ＩＣＭＰ７０４に０８を設定）したＩＣＭＰエコーパケットを送信し、受信側は設定されている「エコー要求」を「エコー応答」に設定（ＩＣＭＰタイプ７０４を０に設定）したＩＣＭＰエコーパケットを送信側へ返信することで、疎通確認を実行する。
【００５１】
ここからは、図８を用いてＩＣＭＰを利用した障害解析方法について説明する。図８は、アドレスＡのストリーミングサーバ８０１とアドレスＤのＰＣ８０４間に、アドレスＢのルータ８０２、アドレスＣのルータ８０３が存在する機器構成を示している。本実施の形態では、図８の構成において、ＰＣ８０４がストリーミングサーバ８０１までの障害解析を行う場合を例にとって説明する。
【００５２】
ＰＣ８０４は、図７に示すＩＣＭＰエコーパケットの宛先ＩＰアドレス７０３にストリーミングサーバ８０１のアドレスＡ、ＴＴＬ７０１に１、ＩＣＭＰタイプ７０４に０８を設定したＩＣＭＰエコー要求パケットを送信する（ステップＳ８０５）。
【００５３】
ＰＣ８０４より送信されたＩＣＭＰエコーパケットは、まず、ルータ８０３で受信される。ＩＣＭＰの障害解析方法においては、ＩＣＭＰエコーパケットを受信した機器は、宛先ＩＰアドレス７０３に自身のアドレスが設定されていない場合、受信したパケットを転送する。ＩＣＭＰエコーパケットを受信した機器は、転送する前に、ＴＴＬ７０１に設定されている値を１減少させる。この場合、ルータ８０３は、ＴＴＬ７０１に設定された値から１を引くと、値は０になる。ＩＣＭＰの障害解析方法においては、ＴＴＬの値が０になることは、受信したＩＣＭＰエコーパケットの有効期限が切れることになるため、ＩＣＭＰエコー要求パケットを破棄して、送信元にＩＣＭＰ時間超過メッセージ（Ｔｉｍｅ  Ｅｘｃｅｅｄｅｄ）を送信する（ステップＳ８０６）。ＰＣ８０４は、ルータ８０３からＩＣＭＰ時間超過メッセージを受信し、ＩＣＭＰエコー要求パケットがストリーミングサーバ８０１に到達しなかったと判断する。
【００５４】
次に、ＰＣ８０４は、再度宛先ＩＰアドレス７０３にアドレスＡ、ＴＴＬ７０１に先程の値より１増加させた値２を設定し、ＩＣＭＰタイプ７０４に０８を設定したＩＣＭＰエコー要求パケットを送信する。ルータ８０３は、ＩＣＭＰエコーパケットを受信し、ステップＳ８０５と同様の動作を行う。この場合、ＴＴＬの値は２−１＝１であるので、ルータ８０３はＴＴＬ７０１に１を設定して、ＩＣＭＰパケットを転送する（ステップＳ８０７）。
【００５５】
ルータ８０２は、ルータ８０３からＴＴＬ７０１が１であるＩＣＭＰエコーパケットを受信する。ルータ８０２はＩＣＭＰエコーパケット内の宛先ＩＰアドレス７０３が自身のアドレスと異なることを確認し、ＴＴＬ７０１に設定されている値を取出し、１減少させる。この場合、１−１＝０になるため、ルータ８０２は、ＩＣＭＰエコー要求パケットを破棄して、ＩＣＭＰ時間超過メッセージをＩＣＭＰパケットの送信元であるＰＣ８０４に向けて送信する（ステップＳ８０８）。
【００５６】
ＰＣ８０４は、ルータ８０２からＩＣＭＰ時間超過メッセージを受信したことから、ＩＣＭＰエコー要求パケットがストリーミングサーバ８０１に到達しなかったと判断する。ＰＣ８０４は、再度宛先ＩＰアドレス７０３にアドレスＡ、ＴＴＬ７０１に先程の値より１増加させた３、ＩＣＭＰタイプ７０４に０８を設定したＩＣＭＰエコー要求パケットを送信する。この場合、ルータ８０３、ルータ８０２は、ステップＳ８０７と同様の動作を行う。この場合は、ルータ８０３において、ＴＴＬの値は３−１＝２に設定され、ルータ８０２において、ＴＴＬの値は２−１＝１に設定される（ステップＳ８０９）。
【００５７】
ストリーミングサーバ８０１は、ルータ８０２から転送されたＩＣＭＰエコーパケットを受信する。ストリーミングサーバ８０１は、宛先ＩＰアドレス７０３に自身のアドレスＡが設定されていることを確認し、ＴＴＬ７０１の操作をせずに、ＩＣＭＰタイプ７０４を０に設定し、宛先ＩＰアドレス７０３にアドレスＤを設定したＩＣＭＰエコー応答パケットを送信する（ステップＳ８１０）。
【００５８】
ストリーミングサーバ８０１からのエコー応答パケットを受信したＰＣ８０４は、ストリーミングサーバ８０１までの経路で障害が起きていないと判断する。
【００５９】
このように、ＩＣＭＰエコーパケット内のＴＴＬの値は、ターゲットがエコーパケットを受信して、エコーパケットに応答するか、ＴＴＬの値が最大値（２５５）に到達するまで、ルータなどを１回経由するたびに、１増加される。送信側は返信されたＩＣＭＰエコーパケットのＴＴＬの値で、障害の発生箇所を特定するものである。
【００６０】
本実施の形態におけるＰＣ２０５からの障害解析は、宛先ＩＰアドレスフィールド７０３にストリーミングサーバ２１０のアドレスを格納し、ＴＴＬ７０１に１を設定したＩＣＭＰエコー要求パケットを送信することでストリーミングサーバ２１０までの障害解析を行う。
【００６１】
以下、ＩＣＭＰエコーパケットを受信した中継装置１００の動作について図９のフローチャートを用いて説明する。
【００６２】
中継部１０１は、ＬＡＮ  Ｉ／Ｆ１０８を介して受信したデータをパケット解析部１０４に出力する（ステップＳ９００）。
【００６３】
パケット解析部１０４は、中継部１０１より受信したデータがＩＣＭＰエコーパケットであるかどうかをＩＣＭＰタイプフィールド７０４を見て解析する（ステップＳ９０１）。パケット解析部１０４は、受信したデータがＩＣＭＰエコーパケットではない（タイプの値が８でない）と解析した場合、通常のルーティング処理を行う（ステップＳ９０９）。
【００６４】
パケット解析部１０４は、受信したデータがＩＣＭＰエコーパケットである（タイプフィールドが８である）と解析した場合、ＩＣＭＰエコーパケットに設定されている宛先のＩＰアドレスを解析する（ステップＳ９０２）。パケット解析部１０４は、設定されている宛先ＩＰアドレスが自身のＩＰアドレスである場合は、ＩＣＭＰエコーパケットの応答処理を行う（ステップＳ９０３）。
【００６５】
パケット解析部１０４は、宛先ＩＰアドレスが自身のＩＰアドレスでない場合は、ＴＴＬ７０１の値から１を引く（ステップＳ９０４）。さらに引いたＴＴＬ７０１の値が０であるかどうかを判断する（ステップＳ９０５）。もし、ＴＴＬ７０１の値が０でなかった場合は、中継処理を行う（ステップＳ９０９）。ＴＴＬ７０１の値が０であった場合は、ＩＣＭＰ時間超過メッセージを送信する（ステップＳ９０６）。
【００６６】
ＴＴＬ７０１の値が０であった場合、さらに、パケット解析部１０４は、帯域管理部１０５から帯域管理情報を取得する（ステップＳ９０７）。パケット解析部１０４は、帯域情報を通知する処理を帯域情報通知部１０６に依頼すると共に、帯域管理情報を帯域情報通知部１０６に出力する。帯域情報通知部１０６は、ＩＣＭＰエコー要求パケットを送信してきたＰＣ２０５に、帯域管理部１０５から受信した帯域情報をＬＡＮ  Ｉ／Ｆ１０８を介してＰＣ２０５に通知する（ステップＳ９０８）。なお、帯域管理部１０５から受信した帯域情報をＰＣ２０５に通知する手段はＳＮＭＰ  ＴＲＡＰを利用してもよいし、ＵＰｎＰのイベント機能を利用しても良い。帯域管理情報を送信することが可能であればよい。
【００６７】
ＰＣ２０５は、ＩＣＭＰ時間超過メッセージと帯域情報を受信し、ＰＣ２０５のユーザに通知される。本実施の形態においては、ＰＣ２０５のストリーミング再生の映像は乱れるが、障害通知パケットに関しての帯域はあるため、ストリーミングサーバ２１０からの応答が返ってくるため、ストリーミングサーバ２１０の障害でないことが判明できる。さらに、帯域管理情報より、ＰＣ２０５のユーザは宅内における帯域が足りないことを判明することができるため、通信障害が宅内ネットワークで発生しており、その障害は、宅内ネットワークの帯域不足によるものだということを知ることができる。
【００６８】
本実施の形態によれば、通信障害が外部ネットワークで発生しているものか、宅内ネットワークで発生しているものかを判断できることに加えて、宅内ネットワークの帯域不足による障害であることも知ることが可能となる。
【産業上の利用可能性】
【００６９】
本発明にかかる中継装置、通信システムは、帯域を共有する伝送路を利用する宅内ネットワークの障害解析に利用する中継装置、通信システムに有用である。
【図面の簡単な説明】
【００７０】
【図１】本発明の実施の形態１における中継装置の一構成例を示すブロック図
【図２】本発明の実施の形態１における宅内及び宅外ネットワークの一構成例を示す図
【図３】構成管理情報の一例を示す図
【図４】帯域未使用時の帯域管理情報の一例を示す図
【図５】帯域使用時の帯域管理情報の一例を示す図
【図６】帯域使用時に、使用帯域が不足中の帯域管理情報の一例を示す図
【図７】ＩＣＭＰパケットフォーマットを示す図
【図８】ＩＣＭＰによる障害解析動作を示すフロー図
【図９】本発明の実施の形態１における中継装置のパケット処理を示すフローチャート
【図１０】従来の情報通信装置の構成を示すブロック図
【符号の説明】
【００７１】
１００  中継装置
１０１  中継部
１０２  利用状況取得部
１０３  構成管理部
１０４  パケット解析部
１０５  帯域管理部
１０６  帯域情報通知部
１０７  ＷＡＮ  Ｉ／Ｆ
１０８  ＬＡＮ  Ｉ／Ｆ
【図１】
2009188577.tif 000003
【図２】
2009188577.tif 000004
【図３】
2009188577.tif 000005
【図４】
2009188577.tif 000006
【図５】
2009188577.tif 000007
【図６】
2009188577.tif 000008
【図７】
2009188577.tif 000009
【図８】
2009188577.tif 000010
【図９】
2009188577.tif 000011
【図１０】
2009188577.tif 000012